(57)【要約】【課題】入力されるべき一連の音声データの欠落が検出された場合に、音声データの一時記憶用のバッファをクリアする処理と、出力の音声データを無音データへ徐々に減衰させるミュート処理とを簡易な構成や手順で実行することができる音声データ処理装置、音声データ処理方法、およびプログラムを提供する。【解決手段】使用中のチャネルが未使用状態へ変化することや、音声データに異常が生じることなどにより、所定の順序に従って入力バッファ２０２に入力されるべき音声データに欠落が生じていることが検出されると、欠落する音声データの代わりとして、所定の無音データが入力バッファ２０２に入力される。この無音データが入力バッファ２０２から読み出されてフィルタ処理されると、フィルタの応答特性によって、その処理結果の音声データには、徐々に無音状態へ減衰するミュート効果が与えられる。【選択図】図２
2005071471.tif 000002
【特許請求の範囲】
【請求項１】
入力される音声データを記憶するバッファと、上記バッファに記憶される音声データにフィルタ処理を行うフィルタ処理手段とを有する音声データ処理装置であって、
所定の順序に従って上記バッファに入力されるべき音声データの欠落を検出する音声データ欠落検出手段と、
上記音声データ欠落検出手段において音声データの欠落が検出された場合、欠落する音声データの代わりとして所定の無音データを上記バッファに入力する無音データ入力手段と、
を有する音声データ処理装置。
【請求項２】
上記音声データ欠落検出手段は、上記入力される音声データの異常の有無を検査し、当該検査において異常が見つかった音声データを上記欠落する音声データとして検出する、
請求項１に記載の音声データ処理装置。
【請求項３】
上記バッファは、入力され得る複数チャネルの音声データを上記チャネルごとに記憶するための複数の記憶領域を有し、
上記フィルタ処理手段は、上記チャネルごとに音声データのフィルタ処理を行い、
上記音声データ欠落検出手段は、使用された状態から未使用の状態へ変化するチャンネルを検出し、
上記無音データ入力手段は、上記音声データ欠落検出手段において未使用状態への変化が検出されたチャネルに対応する上記バッファの記憶領域に、当該変化に伴って欠落する音声データの代わりとして上記無音データを入力する、
請求項１に記載の音声データ処理装置。
【請求項４】
入力される音声データをバッファに記憶させる第１のステップと、
上記バッファに記憶された音声データにフィルタ処理を行う第２のステップと、
所定の順序に従って上記バッファに入力されるべき音声データの欠落を検出する第３のステップと、
上記第３のステップにおいて音声データの欠落が検出された場合、欠落する音声データの代わりとして所定の無音データを上記バッファに記憶させる第４のステップと、
を有する処理をコンピュータに実行させるプログラム。
【請求項５】
上記第３のステップにおいて、上記入力される音声データの異常の有無を検査し、当該検査において異常が見つかった音声データを上記欠落する音声データとして検出する、
請求項４に記載のプログラム。
【請求項６】
上記第１のステップにおいて、入力される複数チャネルの音声データを、上記バッファの上記チャネルごとに割り当てられた記憶領域に記憶させ、
上記第２のステップにおいて、上記チャネルごとに音声データのフィルタ処理を行い、
上記第３のステップにおいて、使用された状態から未使用の状態への変化するチャネルを検出し、
上記第４のステップにおいて、上記第３のステップで未使用状態への変化が検出されたチャネルに対応する上記バッファの記憶領域に、当該変化に伴って欠落する音声データの代わりとして上記無音データを記憶させる、
請求項４に記載のプログラム。
【請求項７】
入力される音声データをバッファに記憶させる第１の工程と、
上記バッファに記憶された音声データにフィルタ処理を行う第２の工程と、
所定の順序に従って上記バッファに入力されるべき音声データの欠落を検出する第３の工程と、
上記第３の工程において音声データの欠落が検出された場合、欠落する音声データの代わりとして所定の無音データを上記バッファに記憶させる第４の工程と、
を有する音声データ処理方法。
【発明の詳細な説明】
【技術分野】
【０００１】
本発明は音声データ処理装置とその方法およびプログラムに係り、特に、マルチチャネル音声データの再生に係わる処理を行う音声データ処理装置とその方法およびプログラムに関するものである。
【背景技術】
【０００２】
近年、２チャネル以上の立体的な音響を再生できるオーディオ装置とその音楽ソフトが一般に普及しつつある。例えばＤＶＤ−ＡｕｄｉｏやＳＡＣＤ（super audio CD）と呼ばれる光ディスクの音楽データ用フォーマットでは、最大で６チャネルの音声を記録・再生することが可能である。
【０００３】
特許文献１には、このようなマルチチャネルの音声データを再生する装置に関する発明が記載されている。
【０００４】
図５は、マルチチャネル音声データ（６チャネル）のデコード装置の一般的な構成例を示すブロック図である。
図５に例示するデコード装置は、アンパック部２Ａと、入力バッファ２Ｂと、フィルタ処理部２Ｃと、出力バッファ２Ｄと、制御部２Ｅとを有する。
【０００５】
アンパック部２Ａは、ＤＶＤ等の光ディスクの読み取り装置において読み出されたマルチチャネル音声データのビットストリームＳ１を所定の処理単位分（１フレーム分）ずつ順に入力し、入力したデータ中に多重化されている各チャネルの音声データを取り出す。
【０００６】
入力バッファ２Ｂは、アンパック部２Ａで取り出された各チャネルの音声データを、チャネルごとに割り当てた記憶領域２Ｂ−１〜２Ｂ−６にそれぞれ記憶する。
【０００７】
フィルタ処理部２Ｃは、入力バッファ２Ｂに記憶される音声データをチャネルごとに１フレーム分ずつ読み出してフィルタ処理を行う。例えば、高域成分を除去するローパスフィルタ処理を行う。
各チャネルのオーディデータに対して連続的なフィルタ処理を行うために、フィルタ処理部２Ｃは、それぞれのチャネルにおけるフィルタ処理の状態に関するデータを保持するための記憶部２Ｃ−１〜２Ｃ−６を有する。これらの記憶部は、次のフレームの音声データに対してフィルタ処理を行う際の初期状態を保持するために用いられる。
【０００８】
出力バッファ２Ｄは、フィルタ処理部２Ｃにおいてフィルタ処理が行われた音声データを、チャネルごとに割り当てた記憶領域２Ｄ−１〜２Ｄ−６に格納する。
出力バッファ２Ｄに格納された音声データは、スピーカ等を備えた後段の音声再生装置に出力され、音声に変換される。
【０００９】
制御部２Ｅは、デコード装置の動作に関わる種々の処理を行う。
例えば、アンパック部２Ａにおいて取り出された各チャネルの音声データを監視して、音声データに欠落が生じているか否かを検出する。そして、欠落が検出された場合には、その欠落が生じたチャネルに対応する出力バッファ２Ｄの記憶領域に対して後述のミュート処理を行うとともに、当該チャネルに対応する入力バッファ２Ｂの記憶領域とフィルタ処理部２Ｃの記憶部とに対して後述のクリア処理を行う。
【００１０】
このような構成を有する図５に示すデコード装置の動作について、図６のフローチャートを参照して説明する。
【００１１】
ステップＳＴ１０：
アンパック部２Ａは、マルチチャネル音声データのビットストリームＳ１のうち、所定の処理単位分（１フレーム分）の音声データから、多重化されている各チャネルの音声データを取り出す。そして、取り出した各チャネルの音声データを、入力バッファ２Ｂの対応する記憶領域にそれぞれ格納する。
【００１２】
ステップＳＴ２０：
使用中の全チャネルの音声データが入力バッファ２Ｂに格納されると、フィルタ処理部２Ｃは、１チャネル分の音声データを入力バッファ２Ｂから読み出して、これにフィルタ処理を行う。
【００１３】
ステップＳＴ３０〜ＳＴ５０：
次いで、制御部２Ｅは、ステップＳＴ２０でフィルタ処理を行ったチャネルの音声データに欠落が生じているか否かを検出する（ステップＳＴ３０）。
例えば、制御部２Ｅは、前回処理したフレームにおいて使用されていたチャネルが未使用状態へ変化したか否かを検出する。未使用状態へ変化した場合、再び使用状態に戻るまでそのチャネルには音声データが入力されなくなるため、再生すべき音声データが欠落する。
また、制御部２Ｅは、音声データに誤りや破損等の異常が存在するか否かを検査し、異常を有する音声データにつては、これを欠落するものとして検出する。
【００１４】
こうした音声データの欠落を検出すると、制御部２Ｅは、欠落が検出されたチャネルに対応する出力バッファ２Ｄの記憶領域から音声データを読み出して、その再生音を無音状態へ徐々に減衰させるためのミュート処理を施す（ステップＳＴ４０）。
例えば、読み出した音声データに所定の減衰用の係数を乗算して、この乗算結果を元の記憶領域に書き戻す処理を行う。
これにより、音声データに上述のような欠落が生じた場合でも音声が突然途切れたりせず、徐々にレベルが減少するため、耳障りなノイズが抑えられる。
【００１５】
さらに、制御部２Ｅは、欠落が検出されたチャネルに対応する入力バッファ２Ｂの記憶領域およびフィルタ処理部２Ｃの記憶部に対してクリア処理を行う（ステップＳＴ５０）。
すなわち、当該チャネルに対応する入力バッファ２Ｂの記憶領域に、再生音が無音の音声データ（以降、無音データと呼ぶ）を入力するとともに、当該チャネルに対応するフィルタ処理部２Ｃの記憶部に、その出力が無音データとなるような所定の初期化データを入力する。
これにより、音声データの異常が原因で一時的に音声データの欠落が生じた場合、その再生音は、まず上述のミュート処理の作用により徐々に無音状態へ減衰し、その後、次のフレームの音声データがフィルタ処理部２Ｃにおいてフィルタ処理されることにより、無音状態から徐々に大きくなるように変化する。
また、チャネルの未使用状態への変化が原因で音声データの欠落が生じた場合、その再生音は、まず上述のミュート処理の作用により徐々に無音状態へ減衰し、その後、入力バッファ２Ｂに無音データが保持されたままになるため、無音状態が継続する。
【００１６】
ステップＳＴ６０：
出力バッファ２Ｄに格納されたフィルタ処理後の音声データが、後段の音声再生装置に出力される。
【００１７】
ステップＳＴ７０：
制御部２Ｅは、ステップＳＴ２０〜ＳＴ６０の処理が１フレーム中の全チャネル（６チャネル）について行われたか否かを判定し、未だ処理されていないチャネルが存在する場合は、このチャネルについてステップＳＴ２０〜ＳＴ６０の処理を実行する。全チャネルについてこれらの処理が終了した場合に、１フレーム分の音声データの処理を終了する。
【特許文献１】特開平１１−５３８３９号公報
【発明の開示】
【発明が解決しようとする課題】
【００１８】
ところで、上述した図５に示すデコード装置では、チャネル構成の変化などにより音声データの欠落が検出された場合に、入力バッファ２Ｂおよびフィルタ処理部２Ｃのクリア処理と、出力バッファ２Ｄのミュート処理とがそれぞれ個別に実行される。そのため、処理が複雑化し、設計に不具合を生じやすくなるとともに、動作の検証が難しくなるという不利益が生じる。
【００１９】
本発明はかかる事情に鑑みてなされたものであり、その目的は、入力されるべき一連の音声データの欠落が検出された場合に、音声データの一時記憶用のバッファをクリアする処理と、出力の音声データを無音データへ徐々に減衰させるミュート処理とを簡易な構成や手順で実行することができる音声データ処理装置、音声データ処理方法、およびプログラムを提供することにある。
【課題を解決するための手段】
【００２０】
本発明の第１の観点は、入力される音声データを記憶するバッファと、上記バッファに記憶される音声データにフィルタ処理を行うフィルタ処理手段とを有する音声データ処理装置であって、所定の順序に従って上記バッファに入力されるべき音声データの欠落を検出する音声データ欠落検出手段と、上記音声データ欠落検出手段において音声データの欠落が検出された場合、欠落する音声データの代わりとして所定の無音データを上記バッファに入力する無音データ入力手段と、を有する。
【００２１】
本発明の第１の観点によれば、上記音声データ欠落検出手段において、所定の順序に従って上記バッファに入力されるべき音声データの欠落が検出されると、上記無音データ入力手段により、当該欠落する音声データの代わりとして所定の無音データが上記バッファに入力される。
これにより、上記フィルタ処理手段の処理結果の音声データには、フィルタの応答特性に応じて徐々に無音状態へ減衰するミュート効果が与えられる。
【００２２】
本発明の第２の観点のプログラムは、入力される音声データをバッファに記憶させる第１のステップと、上記バッファに記憶された音声データにフィルタ処理を行う第２のステップと、所定の順序に従って上記バッファに入力されるべき音声データの欠落を検出する第３のステップと、上記第３のステップにおいて音声データの欠落が検出された場合、欠落する音声データの代わりとして所定の無音データを上記バッファに記憶させる第４のステップと、を有する処理をコンピュータに実行させる。
【００２３】
本発明の第３の観点の音声データ処理方法は、入力される音声データをバッファに記憶させる第１の工程と、上記バッファに記憶された音声データにフィルタ処理を行う第２の工程と、所定の順序に従って上記バッファに入力されるべき音声データの欠落を検出する第３の工程と、上記第３の工程において音声データの欠落が検出された場合、欠落する音声データの代わりとして所定の無音データを上記バッファに記憶させる第４の工程と、を有する。
【００２４】
本発明の第２、第３の観点によれば、所定の順序に従って上記バッファに入力されるべき音声データの欠落が検出されると、当該欠落する音声データの代わりとして所定の無音データが上記バッファに記憶される。
これにより、上記フィルタ処理の処理結果の音声データには、フィルタの応答特性に応じて徐々に無音状態へ減衰するミュート効果が与えられる。
【発明の効果】
【００２５】
本発明によれば、入力されるべき一連の音声データの欠落が検出された場合に、音声データの一時記憶用のバッファを無音データによってクリアする処理と、出力の音声データを無音データへ徐々に減衰させるミュート処理とを共通化することが可能であり、これにより装置構成や処理手順を簡易化することができる。
【発明を実施するための最良の形態】
【００２６】
以下、本発明をＤＶＤ（digital versatile disc）等の光ディスクからマルチチャネル音声データを読み出して再生するオーディオ装置に適用した場合の一実施形態について、図面を参照して説明する。
【００２７】
図１は、本実施形態に係るオーディオ装置の構成例を示すブロック図である。
図１に例示するオーディオ装置は、光ディスク読み取り部１０と、音声データデコード部２０と、音声再生部３０とを有する。
【００２８】
光ディスク読み取り部１０は、ＤＶＤ−Ａｕｄｉｏなどのフォーマットによって光ディスクに記録されたマルチチャネル音声データを読み取り、そのビットストリームＳ１０を出力する。
【００２９】
音声データデコード部２０は、光ディスク読み取り部１０より出力されるビットストリームＳ１０から所定の処理単位分（１フレーム分）ずつ順に音声データを入力し、入力した音声データに多重化されている各チャネルの音声データを取り出してフィルタ処理をそれぞれ行う。例えば、その高域成分を除去するローパスフィルタ処理をそれぞれ行う。
【００３０】
音声再生部３０は、音声データデコード部２０においてチャネルごとに分離されてローパスフィルタ処理が施された音声データＳ２０を、デジタル信号からアナログ信号へそれぞれ変換する。そして、変換したアナログ信号をチャネルごとに設けたスピーカへそれぞれ入力し、各チャネルの音声を再生する。
【００３１】
図２は、音声データデコード部２０の構成の一例を示すブロック図である。
図２に例示する音声データデコード部２０は、アンパック部２０１と、入力バッファ２０２と、フィルタ処理部２０３と、出力バッファ２０４と、音声データ欠落検出部２０５と、無音データ入力部２０６とを有する。
なお、入力バッファ２０２は、本発明のバッファの一実施形態である。
音声データ欠落検出部２０５は、本発明の音声データ欠落検出手段の一実施形態である。
無音データ入力部２０６は、本発明の無音データ入力手段の一実施形態である。
【００３２】
アンパック部２０１は、光ディスク読み取り部１０において読み出されたマルチチャネル音声データ（最大６チャネル）のビットストリームＳ１０を１フレーム分ずつ順に入力し、入力したデータ中に多重化されている各チャネルの音声データを取り出す。
【００３３】
入力バッファ２０２は、アンパック部２０１において１フレーム分ずつ取り出された各チャネルの音声データを、チャネルごとに割り当てた記憶領域２０２−１〜２０２−６にそれぞれ記憶する。
【００３４】
フィルタ処理部２０３は、入力バッファ２０２に記憶される音声データをチャネルごとに１フレーム分ずつ読み出して、高域成分を除去するローパスフィルタ処理を行う。
各チャネルのオーディデータに対して連続的なフィルタ処理を行うために、フィルタ処理部２０３は、それぞれのチャネルにおけるフィルタ処理の状態に関するデータを保持するための記憶部２０３−１〜２０３−６を有する。これらの記憶部は、次のフレームの音声データに対してフィルタ処理を行う際の初期状態を保持するために用いられる。
【００３５】
出力バッファ２０４は、フィルタ処理部２０３においてフィルタ処理が行われた音声データを、チャネルごとに割り当てた記憶領域２０４−１〜２０４−６に格納する。
出力バッファ２０４に格納された音声データは、後段の音声再生部３０に出力され、音声に変換される。
【００３６】
音声データ欠落検出部２０５は、所定の順序に従って入力バッファ２０２に入力されるべき音声データの欠落を検出する。
【００３７】
例えば、音声データ欠落検出部２０５は、アンパック部２０１において取り出された各チャネルの音声データについて異常（データの誤りや破損など）の有無をそれぞれ検査し、この検査において異常が見つかった音声データを、欠落する音声データとして検出する。
【００３８】
また、音声データ欠落検出部２０５は、前回処理したフレームにおいて使用されていたチャネルが未使用状態へ変化するか否かに応じて、音声データの欠落を検出する。
すなわち、使用中のチャネルが未使用状態へ変化した場合、再び使用状態に戻るまでそのチャネルには音声データが入力されなくなるため、再生すべき音声データが欠落する。音声データ欠落検出部２０５は、このようなチャネルの未使用状態への変化による音声データの欠落を検出する。
【００３９】
無音データ入力部２０６は、音声データ欠落検出部２０５においてこのような音声データの欠落が検出された場合、欠落する音声データの代わりとして、所定の無音データを入力バッファ２０２に入力する。
なお、ここで述べる無音データは、音声再生部３０における再生音が無音もしくは無音に近い状態となる音声データ、すなわち、再生される音声信号の振幅がゼロもしくは微小振幅となるようなデータである。
【００４０】
例えば、無音データ入力部２０６は、音声データ欠落検出部２０５において音声データの異常が見つかった場合、当該異常を有する音声データの代わりとして、この無音データを入力バッファ２０２に入力する。また、音声データ欠落検出部２０５においてチャネルの未使用状態への変化が検出された場合、当該チャネルに対応する入力バッファ２０２の記憶領域（２０２−１〜２０２−６）に、当該変化に伴って欠落する音声データの代わりとして、この無音データを入力する。
【００４１】
ここで、上述した構成を有する図１に示すオーディオ装置の動作について、図３のフローチャートを参照して説明する。
図３は、音声データデコード部２０における処理の流れを図解したフローチャートである。
【００４２】
ステップＳＴ１１０：
アンパック部２０１は、光ディスク読み取り部１０において読み取られたマルチチャネル音声データのビットストリームＳ１０から１フレーム分の音声データを順次入力し、入力した音声データに多重化されている各チャネルの音声データを取り出す。そして、取り出した各チャネルの音声データを、入力バッファ２０２の対応する記憶領域にそれぞれ格納する。
【００４３】
ステップＳＴ１２０〜ＳＴ１３０：
音声データ欠落検出部２０５は、ステップＳＴ１１０において入力バッファ２０２に入力された音声データに欠落が生じているか否かをチャネルごとに検出する（ステップＳＴ１２０）。
例えば図４に示すように、チャネルＣＨ６が使用状態から未使用状態へ変化する場合、音声データ欠落検出部２０５は、チャネルＣＨ６に対応する音声データの欠落を検出する。
また、音声データ欠落検出部２０５は、入力バッファ２０２に入力される音声データが誤りや破損等の異常を有する場合に、当該音声データを欠落するものとして検出する。
【００４４】
このような音声データの欠落が音声データ欠落検出部２０５において検出されると、無音データ入力部２０６は、欠落する音声データの代わりとして、上述した無音データを入力バッファ２０２に入力する（ステップＳＴ１３０）。
例えば図３に示すようなチャネル構成の変化が生じた場合、無音データ入力部２０６は、チャネルＣＨ６に対応する記憶領域２０２−６に無音データを入力する。
【００４５】
ステップＳＴ１４０：
フィルタ処理部２０３は、音声データ欠落検出部２０５や無音データ入力部２０６による上述の処理が行われた後、入力バッファ２０２の記憶領域（２０２−１〜２０２−６）から音声データを読み出して、これにローパスフィルタ処理を行い、その処理結果を出力バッファ２０４の対応する記憶領域（２０４−１〜２０４−６）に記憶させる。
無音データ入力部２０６により無音データが入力された記憶領域に対してローパスフィルタ処理が実行されると、その処理結果の音声データは、記憶部（２０３−１〜２０３−６）に保持されている前フレームの状態から無音の状態へ連続的に減衰する。すなわち、音声データの欠落が検出された場合、そのチャンネルの音声データには、フィルタ処理部２０３の応答特性に応じて徐々に無音状態へ減衰するミュート効果が与えられる。
【００４６】
例えば、音声データの異常が原因で一時的に音声データの欠落が生じた場合、その再生音は、フィルタ処理部２０３の上述した応答特性によって徐々に無音状態へ減衰し、その後、次のフレームの音声データがフィルタ処理部２０３においてフィルタ処理されることにより、無音状態から徐々に大きくなるように変化する。
また、チャネルの未使用状態への変化が原因で音声データの欠落が生じた場合、その再生音は、フィルタ処理部２０３の上述した応答特性によって徐々に無音状態へ減衰し、その後、入力バッファ２０２に無音データが保持されたままになるため、無音状態が継続する。
【００４７】
ステップＳＴ１５０：
出力バッファ２０４に格納されたフィルタ処理後の音声データが、後段の音声再生装置３０に出力される。
【００４８】
ステップＳＴ１６０：
ステップＳＴ１２０〜ＳＴ１５０の処理が１フレーム中の全チャネル（６チャネル）の音声データについて実行されたか否かを、図示しない制御部が判定する。まだ処理されていないチャネルが存在する場合、この制御部は、当該未処理のチャネルについてステップＳＴ１２０〜ＳＴ１５０の処理を実行し、全チャネルの音声データに対してこれらの処理が実行された場合に、１フレーム分の音声データの処理を終了する。
【００４９】
以上説明したように、図２に示す音声データデコード部２０によれば、使用中のチャネルが未使用状態へ変化することや、音声データに異常が生じることなどにより、所定の順序に従って入力バッファ２０２に入力されるべき音声データに欠落が生じていることが検出されると、欠落する音声データの代わりとして、所定の無音データが入力バッファ２０２に入力される。この無音データが入力バッファ２０２から読み出されてローパスフィルタ処理されると、ローパスフィルタの応答特性によって、その処理結果の音声データには、徐々に無音状態へ減衰するミュート効果が与えられる。
したがって、音声データの欠落が生じた場合、図５に示す音声データ処理装置のように、入力バッファへの無音データの入力（入力バッファのクリア処理）と出力バッファの音声データのミュート処理とをそれぞれ個別に実行する必要はなく、入力バッファ２０２のクリア処理のみで出力の音声データにミュート効果を与えることができる。このように処理を簡易化できるため、設計の不具合を減らすことができるとともに、動作の検証を容易にすることができる。また、処理の簡易化によって、装置構成の簡易化や、消費電力の削減を図ることもできる。
【００５０】
なお、本発明は上述した実施形態に限定されない。
たとえば、上述の実施形態では音声データの最大チャネル数を６としているが、本発明はこれに限定されず、任意のチャネル数の音声データを処理することができる。
【００５１】
また、上述の実施形態では本発明をオーディオ装置に適用した例が説明されているが、本発明はこれに限定されない。
例えば、光ディスク読み取り部１０の代わりに、音声データを供給するサーバを設けても良い。この場合、音声データデコード装置には、インターネット等のネットワークなどを介してサーバからダウンロードされるビットストリームが供給される。
また、音声再生部の代わりに、他の記録媒体や記憶装置へ音声データを書き込む装置を設けても良い。
【００５２】
また、本発明に係る音声データ処理装置における処理は、その少なくとも一部をコンピュータ上でプログラムにより実現することが可能である。例えば、図３に示すフローチャートのステップの少なくとも一部を、コンピュータ上でプログラムにより処理させても良い。
【図面の簡単な説明】
【００５３】
【図１】本実施形態に係るオーディオ装置の構成の一例を示すブロック図である。
【図２】音声データデコード部の構成の一例を示すブロック図である。
【図３】図１に示す音声データデコード部における処理の流れを図解したフローチャートである。
【図４】チャネル構成の変化の一例を図解した図である。
【図５】マルチチャネル音声データのデコード装置の一般的な構成例を示すブロック図である。
【図６】図５に示すデコード装置における処理の流れを図解したフローチャートである。
【符号の説明】
【００５４】
１０…光ディスク読み取り部、２０…音声データデコード部、３０…音声再生部、２０１…アンパック部、２０２…入力バッファ、２０２−１〜２０２−６…入力バッファの記憶領域、２０３…フィルタ処理部、２０３−１〜２０３−６…フィルタ処理部の記憶部、２０４…出力バッファ、２０４−１〜２０４−６…出力バッファの記憶領域、２０５…音声データ欠落検出部、２０６…無音データ入力部
【図１】
2005071471.tif 000003
【図２】
2005071471.tif 000004
【図３】
2005071471.tif 000005
【図４】
2005071471.tif 000006
【図５】
2005071471.tif 000007
【図６】
2005071471.tif 000008